(57)【特許請求の範囲】
【請求項１】
２本乃至４本に分岐したサスペンダーの帯体端部にそれぞれフックを取り付け、ズボンのベルト通し用の複数のループの中から使用するループを選び、選んだループにそれぞれフックを掛けることによって、ズボンを吊って履くズボン吊り方法。
【請求項２】
請求項１に記載するズボン吊り方法で使用するために、帯体の各端部にそれぞれフックを取り付けたサスペンダー。
【発明の詳細な説明】
【０００１】
【発明の属する技術分野】
この発明は、両下肢から腰に履いたズボンが落ちないように、ズボンの上端部をサスペンダーで肩から吊り下げて履くズボン吊り方法及びそれに使用するサスペンダーに関する。
【０００２】
【従来の技術】
従来から、サスペンダーは、通常、背中に接する部位で分岐された数本の帯体端部をズボンの上端部に連結することによって、ズボンを吊り下げる機能を有し、帯体の分岐の態様により、Ｙ型、Ｈ型、Ｘ型及びタスキ型の４種類に大別することができる。
【０００３】
Ｙ型のサスぺンダーは、前に２本、後に１本、合計３本に分岐した帯体から成り、Ｈ型及びＸ型のサスペンダーは、前に２本、後に２本、合計４本に分岐した帯体から成り、タスキ型は、両脇にそれぞれ１本、合計２本に分岐した帯体から成り、それら複数の帯体の端部とズボンの上端部との連結手段は、従来、ボタン止め方式とクリップ止め方式が周知である。
【０００４】
ボタン止めによる連結方式は、ズボンの上端近くの内側における所定の位置にあらかじめ４個乃至８個の専用のボタンを取り付け、２本乃至４本に分岐したサスペンダーの端部にそれぞれ通常２個のボタン孔を設け、それらのボタン孔を前記ボタンにそれぞれ引掛けて連結するものである。
【０００５】
クリップ止めによる連結方式は、２本乃至４本に分岐したサスペンダーの端部にそれぞれ銜え歯つきの挟み金具を取り付け、ズボンの上端における所望の位置をそれらの挟み金具でそれぞれクリップして連結するものである。
【０００６】
【発明が解決しようとする課題】
前述したボタン止めによる連結方式は、ズボンの上端の内側にあらかじめ４個乃至８個の専用のボタンを特設しておくことを要し、その備えのないズボンには使えない不便または限定があるばかりでなく、多数のボタンの掛け外しに手数と時間がかかり、面倒である。
【０００７】
前述したクリップ止めによる連結方式は、ボタン止めの前記悩みを解決して、ズボンに特殊の設備を要せず、汎用性が秀れている点が認められるものの、クリップの銜え歯によりズボンの上端に止め痕が生じ易く、ズボンを傷める心配、および、クリップ開放時に手指の爪を傷める心配がある。
【０００８】
この発明の目的は、通常型のズボン、すなわち、ズボンの上端外側に沿ってベルトを通すために幅が２５ｍｍ程度以下の複数のループが配設されている普通のズボンでさえあれば、何ら特殊な加工を要しない汎用性を備えている一方、連結時及び離脱時の取扱い操作に手間と時間がかからず、迅速・確実かつ容易に掛け外しをすることができ、更に、連用してもズボンを傷めることがないズボン吊り方法及びサスペンダーを提供することである。
【０００９】
【課題を解決するための手段】
この発明によるズボン吊り方法及びサスペンダーは、２本乃至４本に分岐したサスペンダーの帯体端部にそれぞれフックを取り付け、ズボンのベルト通し用の複数のループ中から使用するループを選び、選んだループにそれぞれフックを掛けることによって、ズボンを肩から吊って履くものである。
【００１０】
【発明の実施の形態】
この発明によるズボン吊り方法は、図１で示すように、サスペンダーの分岐した複数の帯体端部にそれぞれフック３を取り付け、それらのフックをズボンのベルト通し用の複数のループの所望のループにそれぞれ掛ける場合に、サスペンダーの形状がＹ型、Ｈ型、Ｘ型、タスキ型の４通り存在する一方、ズボンのベルト通し用のループの数量とその配列位置もまた、普通型の場合に、５型（カジュアル）、６型（ノーマル）、７型（ノーマル）、８型（フォーマル）の４通り存在するので、これら双方を以下に示すように組み合わせれば、サスペンダーのフック３をズボンのループの所望の位置のループを選んで掛けることができ、ズボン吊り状態が得られる。
【００１１】
まず、Ｙ型のサスペンダーは、前側の帯体が左右一対（Ｌ、Ｒ）設けられているものの、後側の帯体が中央に１本（Ｂ）しか設けられていない。従って、その型に適応するズボンのループの配列は後側中央にループ（Ｂ）のある型、すなわち、５型と７型に限定される。Ｙ型サスペンダーの前側の帯体の端部（Ｌ、Ｒ）は、通常、ズボンのループの前側のループ（Ｌ、Ｒ）と対応させて掛ける。しかし、それでは帯体が中央に寄り過ぎて上着の下から見えて不都合と思われる場合には前側の帯体を左右のループ（ＬＳ、ＲＳ）に掛ければよい。このように、Ｙ型のサスペンダーは、ループの配列が５型と７型のズボンへの対応が可能であり、例えば、カジュアルなジーンズのズボンなどに用途を限定して使用すれば、非常に便利なサスペンダーとなる。
【００１２】
次に、Ｈ型及びＸ型のサスペンダーは、前側の帯体が左右一対（Ｌ、Ｒ）設けられているとともに、後側の帯体もまた左右一対（ＢＬ、ＢＲ）設けられている。前側一対の帯体は、前項のＹ型サスペンダーについて述べた方法により、５型、６型、７型及び８型のループを有するズボンに対応することができる。これに対して、後側一対の帯体は、６型及び８型のループを有するズボンには、後側中央に近接して一対のループ（ＢＬ、ＢＲ）があるので、勿論対応可能であるが、５型及び７型のループを有するズボンにも、下記の掛け方をすれば対応可能となるので結局、Ｘ型及びＹ型のサスペンダーは、５型、６型、７型及び８型のループを有するズボンすべてに使用することができる。
【００１３】
Ｈ型及びＸ型のサスペンダーで７型のループを有するズボンを吊りたいが、ズボンにおける後側の一対のループ（ＢＬ、ＢＲ）が左右に開き過ぎて取り付けられいるため、サスペンダーの後側の帯体（ＢＬ、ＢＲ）がその間隔に対応できない場合には、後側２つのフック３、３を重ね合せて、後側中央の１本のループ（Ｂ）に掛けることによって、対応が可能となる。なお、この場合には、後側の帯体端部に取り付けた２つのフックの開口方向を左右いずれかの方向に統一させたものの方が着脱容易である。Ｈ型及びＸ型のサスペンダーにおける後側２本に分岐した帯体を後側中央の１本のループ（Ｂ）に掛けようとすると、分岐点に柔軟性の少ないサスペンダーでは後側２本の帯体に歪が生じるが、ズボンを吊ることによって帯体に張力が負荷されれば、その歪が解消され、実用上問題が生じない。
【００１４】
Ｈ型及びＸ型のサスペンダーを５型のループを有するズボンに対応させる場合には、ズボンの後側にはその中央に１本のループ（Ｂ）しか存在しないが、前項で述べた方法を用いて、サスペンダーの後側の一対の帯体（ＢＬ、ＢＲ）端部における双方のフックを２重に重ねて、後側中央の１本のループ（Ｂ）に掛ければ、ズボンを吊ることができるので、５型のループを有するズボンにも対応が可能である。
【００１５】
タスキ型のサスペンダーは、両脇にそれぞれ１本、合計２本の帯体端部（ＬＳ、ＲＳ）を設けている。従って、このサスペンダーに適応するズボンのループの配列は、両脇にループ（ＬＳ、ＲＳ）が設けられている型、すなわち、５型、６型、７型、８型のすべてである。
【００１６】
この発明に使用されるフックは、Ｙ型、Ｘ型、Ｈ型及びタスキ型に組まれたサスペンダーの帯体の各端部に設ける。従って、１つのサスペンダーについて、最少２個から４個のフックを必要とする。この発明に使用するフックは、着脱が容易であり、かつ、使用中には外れ難いことを要し、フックの内幅を１０乃至１２ｍｍ位にすれば、広狭いずれのループにも掛けられる。
【００１７】
【実施例】
図２は、この発明に使用されるフックの第１実施例を示し、このフックは、連結用の短軸１の一端に通し孔２を、他端にフック３を配設したものから成る。
【００１８】
通し孔２は、短軸１の軸線方向に対して略直角方向に設けた引掛部２１を有し、その引掛部２１は、少なくともサスペンダーの帯体端部４を、しわがよらず直状の状態で掛けられ得る幅であることを要する。
【００１９】
フック３は、短軸１の軸線方向に対して略直角方向に設けた引掛部３１、及び、その引掛部３１の一端と短軸１との間に設けたループ着脱用の開口部３２とから構成されており、前記引掛部３１は、ズボン５に設けたベルト通し用のループ５１を掛けられ得る幅であることを要する。図２において、６はベルトである。
【００２０】
図３は、この発明に使用されるフックの第２実施例を示し、このフックは、短軸１に自在継手１１乃至スウィベル又は撚り戻しを設けて、通し孔２に対してフック３の開口部３２を旋回移動可能にして、ループ５１の左右いずれからでもフック３を掛けられるようにしたものである。なお、自在継手の簡易型として、鎖または紐によることも可能である。
【００２１】
図４は、この発明に使用されるフックの第３実施例を示し、このフックは、短軸１に代えて、通し孔２とフック３とを１枚続きのプレート１２で一体に連結したものであり、単一のプレートから巳型に打ち抜き加工することによってフックの全体が容易かつ低廉に作成し得る。
【００２２】
【発明の効果】
以上詳述したように、この発明によるズボン吊り方法及びサスペンダーは、通常型のズボンにはベルト通し用のループがカジュアル型で５本、ノーマル型で６本から７本、フォーマル型で８本設けられていることに着目して、それらの複数のループから所望のループを選んで、選んだそれらのループと、２本乃至４本に分岐したサスペンダーの帯体端部とを、フックを介して着脱自在に連結するようにしたので、通常型のズボンでさえあれば、何ら特殊な加工を要しない汎用性を有する一方、フックによる着脱操作に手間と時間がかからず、確実、容易かつ迅速に掛け外しを行うことができ、更に、連用してもズボンを痛めることがないなど、従来型のズボン吊り方法及びサスペンダーと対比して、格段の実用的効果を有する。
【００２３】
なお、この発明の説明では、通常型のズボンにおけるループの数量と配置とを課題としたが、ループの取付位置を各サスペンダーに適合させた特殊なズボンに対しても対応が可能であること勿論である。
【図面の簡単な説明】
【図１】この発明によるズボン吊り方法を、サスペンダーの帯体端部の位置と数量、及び、通常型のズボンのベルト通し用のループの位置と数量の関係から解説する説明図、
【図２】この発明に使用されるフックの第１実施例を示す要部の正面図、
【図３】図２で示すフックの第２実施例を示す正面図、
【図４】図２及び図３で示すフックの第３実施例を示す正面図。
【符号の説明】
１  短軸
１１  自在継手
１２  １枚続きのプレート
２  通し孔
２１  サスペンダーの帯体端部引掛部
３  フック
３１  ズボンのベルト通し用のループ引掛部
３２  ループ着脱用の開口部
４  サスペンダーの帯体端部
５  ズボン
５１  ベルト通し用のループ
６  ベルト
【図１】
0003569418.tif 000002
【図２】
0003569418.tif 000003
【図３】
0003569418.tif 000004
【図４】
0003569418.tif 000005